(57)【要約】反転フリッカ補償を実行するために表示駆動装置について開示する。反転フリッカ補償方法は、電圧駆動信号（ＶＡＳ７、ＶＡＳ８、ＶＡＳ９）と電圧基準信号（ＶＲＥＦ）とを受け取ることに応じて発光出力（１４）を出すために動作可能である液晶表示装置（１３）に適用可能である。表示駆動装置は、色成分のグレイレベルを表すデータ電圧レベルを有する電圧データ信号（ＶＤＳ１、ＶＤＳ２、ＶＤＳ３）を受け取ることに応じて液晶表示装置（１３）に電圧駆動信号（ＶＡＳ７、ＶＡＳ８、ＶＡＳ９）を提供するための方法に従って動作される。表示駆動装置は、電圧データ信号（ＶＤＳ１、ＶＤＳ２、ＶＤＳ３）のデータ電圧レベルにより表されるグレイレベルに対応する電圧駆動信号（ＶＡＳ７、ＶＡＳ８、ＶＡＳ９）のための一対の駆動電圧レベルを挙げる電圧駆動信号（ＶＡＳ７、ＶＡＳ８、ＶＡＳ９）のためのガンマルックアップテーブルを有する。
2005502091.tif 000002
【特許請求の範囲】
【請求項１】
電圧駆動信号と電圧基準信号とを受け取ることに応じて発光出力を出すために動作可能である液晶表示装置；並びに
グレイレベルを表すデータ電圧レベルを有する電圧データ信号を受け取ることに応じて前記液晶表示装置に前記電圧駆動信号を提供するために動作可能な表示駆動装置であって、前記電圧駆動信号についてのガンマルックアップテーブルを有する、表示駆動装置；
を有し、
前記ガンマルックアップテーブルは、前記電圧データ信号の前記データ電圧レベルにより表される前記グレイレベルに対応する前記電圧駆動信号のために一対の駆動電圧レベルを挙げ；
前記駆動電圧レベルは前記電圧基準信号の基準電圧レベルについて反対極性を有する；
ことを特徴とする装置。
【請求項２】
請求項１に記載の装置であって、前記表示駆動装置は：
電圧データ信号を受け取ることに応じてガンマルックアップテーブルから駆動電圧レベルを取り出すために動作可能なガンマ回路；並びに
前記ガンマルックアップテーブルから前記駆動電圧レベルの前記ガンマ回路により取り出すことに応じて前記電圧駆動信号に前記電圧データ信号を変換するために動作可能であるデジタル／アナログ変換器；
を有する、ことを特徴とする装置。
【請求項３】
電圧駆動信号と電圧基準信号とを受け取ることに応じて発光出力を出すために動作可能である液晶表示装置；並びに
電圧データ信号を受け取ることに応じて前記液晶表示装置に前記電圧駆動信号を提供するために動作可能な表示駆動装置；
を有し、
前記表示駆動装置は発光出力に反転フリッカ補償を適用するための手段を有する；
ことを特徴とする装置。
【請求項４】
１つまたはそれ以上の電圧駆動信号と電圧基準信号とを受け取ることに応じて液晶表示装置により出される発光出力に反転フリッカ補償を適用するための方法であって：
第１色成分のための第１グレイレベルを表す第１データ電圧レベルを有する第１電圧データ信号を受け取るための表示駆動装置を動作させる段階；
前記第１データ電圧レベルを有する前記第１電圧データ信号を受け取ることに応じてガンマルックアップテーブルから第１電圧駆動信号のために第１の一対の駆動電圧レベルを得るために表示駆動装置を動作させる段階であって、前記第１の一対の駆動電圧レベルは前記電圧基準信号の基準電圧レベルについて反対極性を有する、段階；並びに
前記第１グレイレベルを表す前記第１データ電圧レベルの期間の間に前記第１の一対の駆動電圧レベルを有するフレーム反転方式で液晶表示装置に前記第１電圧駆動信号を提供するために前記表示駆動装置を動作させる段階；
を有することを特徴とする方法。
【請求項５】
請求項４に記載の方法であって、
第２色成分のための第２グレイレベルを表す第２データ電圧レベルを有する第２電圧データ信号を受け取るための表示駆動装置を動作させる段階；
前記第２データ電圧レベルを有する前記第２電圧データ信号を受け取ることに応じてガンマルックアップテーブルから第２電圧駆動信号のために第２の一対の駆動電圧レベルを得るために表示駆動装置を動作させる段階であって、前記第２の一対の駆動電圧レベルは前記電圧基準信号の基準電圧レベルについて反対極性を有する、段階；並びに
前記第２グレイレベルを表す前記第２データ電圧レベルの期間の間に前記第２の一対の駆動電圧レベルを有するフレーム反転方式で液晶表示装置に前記第２電圧駆動信号を提供するために前記表示駆動装置を動作させる段階；
を有することを特徴とする方法。
【請求項６】
請求項４に記載の方法であって、
第１色成分のための第２グレイレベルを表す第２データ電圧レベルを有する第１電圧データ信号を受け取るための表示駆動装置を動作させる段階；
前記第２データ電圧レベルを有する前記第１電圧データ信号を受け取ることに応じてガンマルックアップテーブルから第１電圧駆動信号のために第２の一対の駆動電圧レベルを得るために表示駆動装置を動作させる段階であって、前記第２の一対の駆動電圧レベルは前記電圧基準信号の基準電圧レベルについて反対極性を有する、段階；並びに
前記第２グレイレベルを表す前記第１データ電圧レベルの期間の間に前記第２の一対の駆動電圧レベルを有するフレーム反転方式で液晶表示装置に前記第１電圧駆動信号を提供するために前記表示駆動装置を動作させる段階；
を有することを特徴とする方法。
【請求項７】
第１色成分のための第１グレイレベルを表す第１データ電圧を有する第１電圧データ信号を受け取る段階；
前記第１電圧レベルを有する前記第１電圧データ信号を受け取ることに応じて第１電圧駆動信号のための第１の一対の駆動電圧レベルを得る段階であって、前記第１の一対の駆動電圧レベルは液晶表示装置に加えられる電圧基準信号の基準電圧レベルについて反対極性を有する、段階；並びに
前記第１グレイレベルを表す前記第１データ電圧レベルの期間の間に前記第１電圧駆動信号の前記第１の一対の駆動電圧レベルを有するフレーム反転方式で液晶表示装置に第１電圧駆動信号を提供する段階；
を有することを特徴とする方法。
【請求項８】
請求項７に記載の方法であって：
第２色成分のための第２グレイレベルを表す第２データ電圧を有する第２電圧データ信号を受け取る段階；
前記第２電圧レベルを有する前記第２電圧データ信号を受け取ることに応じて第２電圧駆動信号のための第２の一対の駆動電圧レベルを得る段階であって、前記第２の一対の駆動電圧レベルは液晶表示装置に加えられる電圧基準信号の基準電圧レベルについて反対極性を有する、段階；並びに
前記第２グレイレベルを表す前記第２データ電圧レベルの期間の間に前記第１電圧駆動信号の前記第２の一対の駆動電圧レベルを有するフレーム反転方式で液晶表示装置に第２電圧駆動信号を提供する段階；
を有することを特徴とする方法。
【請求項９】
請求項８に記載の方法であって：
第２色成分のための第２グレイレベルを表す第２データ電圧を有する第１電圧データ信号を受け取る段階；
前記第２電圧レベルを有する前記第１電圧データ信号を受け取ることに応じて第１電圧駆動信号のための第２の一対の駆動電圧レベルを得る段階であって、前記第２の一対の駆動電圧レベルは液晶表示装置に加えられる電圧基準信号の基準電圧レベルについて反対極性を有する、段階；並びに
前記第２グレイレベルを表す前記第１データ電圧レベルの期間の間に前記第１電圧駆動信号の前記第２の一対の駆動電圧レベルを有するフレーム反転方式で液晶表示装置に第１電圧駆動信号を提供する段階；
を有することを特徴とする方法。
【請求項１０】
１つまたはそれ以上の電圧データ信号を受け取ることに応じて液晶表示装置から発光出力を出す段階；並びに
前記発光出力に反転フリッカ補償を適用する段階；
を有することを特徴とする方法。
【発明の詳細な説明】
【技術分野】
【０００１】
本発明は、一般に、映像表示装置に関する。本発明は、特に、液晶表示装置に反転フリッカ補償を提供するためのガンマルックアップテーブルの構成に関する。
【背景技術】
【０００２】
図１は、アナログ方式で電圧駆動信号ＶＡＳ４−ＡＳ６に応じて発光出力１４を透過するための従来のＬＣＤ装置１３を示している。図２は、電圧駆動信号ＶＡＳ４−ＡＳ６の種々のレベルの関数として赤色成分、緑色成分および青色成分に関して発光出力１４の例としての輝度透過率を示している。当該分野において周知であるように、各々の駆動電圧信号ＶＡＳ４−ＡＳ６は、ＬＣＤ装置１３の対応するＬＣＤパネル（図示せず）の各々のコラム（図示せず）に加えられる。各々のコラムは、各々のＬＣＤパネルの各々のロー（図示せず）における各々の画素にトランジスタ（図示せず）により接続される。各々のカウンタ電極は、アナログ方式で電圧基準信号ＶＲＥＦを受け取る。
【０００３】
適切に動作するように各々のＬＣＤパネルの各々の画素内の液晶材料に対して、駆動電圧信号ＶＡＳ４−ＡＳ６のレベルは電圧基準信号ＶＲＥＦに相対的に変化される。例えば、電圧基準信号ＶＲＥＦが６Ｖのレベルを有する場合、電圧駆動信号ＶＡＳ４−ＡＳ６のレベルは、図２に示すように、０乃至１２Ｖの範囲を行き来する。電圧駆動信号ＶＡＳ４−ＡＳ６に対する小さい反転極性領域は０Ｖと６Ｖとの間である。電圧駆動信号ＶＡＳ４−ＡＳ６に対する大きい反転極性領域は６Ｖと１２Ｖとの間である。フレーム反転は、１つの映像フレームに対して、電圧駆動信号ＶＡＳ４−ＡＳ６のレベルは小さい反転極性領域内にあり、次の映像フレームに対し  て、電圧駆動信号ＶＡＳ４−ＡＳ６のレベルは大きい反転極性領域内にあり、等、等と繰り返すことを意味する。
【０００４】
ガンマ回路１０は、ＬＣＤ装置１３による電圧駆動信号ＶＡＳ４−ＡＳ６を受け取ることを促進するために従来のガンマルックアップテーブルを含み、それにより、図３に示すように、ＬＣＤ装置１３は、デジタル方式で電圧データ信号ＶＤＳ１−ＤＳ３に関連するような好ましい輝度応答において発光出力１４を送る。電圧データ信号ＶＤＳ１−ＤＳ３は、赤色成分、緑色成分および青色成分それぞれに関連するような従来の映像ソース（図示せず）からの特定のグレイレベル入力を表示する。例えば、電圧データ信号ＶＤＳ１−ＤＳ３は、００００００００（図３において０として規格化される）乃至１１１１１１１１（図３において１として規格化される）の範囲に亘る２５６グレイレベルを表す８ビットから構成することができる。
【０００５】
電圧データ信号ＶＤＳ１−ＤＳ３を受け取ることに応じて、ガンマ回路１０は、電圧データ信号ＶＤＳ１−ＤＳ３のレベルそれぞれに対応する小さい反転極性領域に対する電圧駆動信号ＶＡＳ４−ＡＳ６についてのレベルを得る。デジタル／アナログ変換器（ＤＡＣ）１１は、両方の反転極性領域における発光出力１４の平均輝度応答に基づいて、小さい反転極性領域内のレベルのみを提供するアナログ方式において、電圧データ信号ＶＤＳ１−ＤＳ３を電圧駆動信号ＶＡＳ１−ＡＳ３に変換する。このようにして、フレーム反転を達成するために、電圧反転回路１２は、１つの映像フレームに対する小さい反転極性領域（例えば、制御電圧ＶＡＳＩに等しい）内である電圧駆動信号ＶＡＳ４−ＡＳ６のレベル、次の映像フレームに対する大きい反転極性領域（例えば、（２＊ＶＲＥＦ）−ＶＡＳＩ）内である電圧駆動信号ＶＡＳ４−ＡＳ６のレベル、等、等をそれぞれもつ電圧駆動信号ＶＡＳ１−ＡＳ３に応じて電圧駆動信号ＶＡＳ４−ＡＳ６を供給する。
【０００６】
発光出力１４は、１つまたはそれ以上の電圧駆動信号ＶＡＳ４−ＡＳ６が、ＬＣＤ装置１３をもつ適切な画素に加えられるに先立って減衰されるときはいつでも、反転フリッカに陥る。当該分野において周知であるように、そのような減衰は、電圧駆動信号ＶＡＳ４−ＡＳ６が大きい反転極性領域内であるときはいつでも、一般に、従来のＬＣＤ装置内において起こる。その結果、図４に例を示すように、電圧データ信号ＶＤＳ１−ＤＳ３のレベルにより示される各々のグレイレベル入力に関連するような発光出力１４の時間ベースの振幅測定は、反転フリッカを表す不均一なピークをもつ発光出力１４の平均輝度応答に関連する不均一なピークを表す。
【０００７】
明らかに、ＬＣＤ装置１３を駆動するために、ガンマ回路１０、ＤＡＣ１１および電圧反転回路１２を用いることの不利点は、発光出力１４の反転フリッカのいずれの発生に対して、補償することができないことである。それ故、ＬＣＤ装置１３における反転フリッカを取り除くための方法および装置を提供する必要性がある。本発明はこの必要性に応えるものである。
【発明の開示】
【課題を解決するための手段】
【０００８】
本発明は、ＬＣＤ装置における反転フリッカを取り除くための方法および装置に関する。本発明の種々の特徴は、新規性があり、非自明であって、種々の優位性を提供する。ここでカバーする本発明の実際の特徴は、同時提出の請求の範囲のみを参照して決定されることができるが、以下に開示する実施形態において特徴付けられる特定の特徴について、次に要約する。
【０００９】
本発明の第１の方式は、電圧駆動信号と電圧基準信号とを受け取ることにおいて発光出力を出すために動作可能であるＬＣＤ装置を有する装置である。その装置は、グレイレベルを表すデータ電圧レベルを有する電圧データ信号を受け取ることに応じてＬＣＤ装置に電圧駆動信号を提供するために動作可能である表示駆動装置をさらに有する。その表示駆動装置は、電圧データしい号のデータ電圧レベルにより表されるようなグレイレベルに対応する電圧駆動信号のための一対の駆動電圧レベルを挙げるガンマルックアップテーブルを用いて電圧駆動信号のためのガンマルックアップテーブルを有する。電圧駆動信号のための駆動電圧レベルは電圧基準信号の基準電圧レベルについて反対極性を有する。
【００１０】
本発明の第２の方式は、電圧駆動信号と電圧基準信号とを受け取ることに応じて液晶表示装置により出される発光出力に反転フリッカ補償を適用するための方法である。第１に、表示駆動装置は、第１グレイレベルを表すデータ電圧レベルを有する電圧データ信号を受け取るために動作される。第２に、表示駆動装置は、データ電圧レベルを有する電圧データ信号を受け取ることに応じて電圧駆動信号のための一対の駆動電圧レベルを得るために動作される。一対の駆動電圧レベルは電圧基準信号の基準電圧レベルについて反対極性を有する。第３に、表示駆動装置は、第１グレイレベルを表すデータ電圧レベルの期間の間に一対の駆動電圧レベルを有するフレーム反転方式で液晶生じ装置に電圧駆動信号を提供するために動作される。
【００１１】
本発明の以上の方式および他の方式、特徴並びに優位性は、添付図面と結びつけて、以下に詳述する本発明の好適な実施形態を読むことにより、さらに明確になることであろう。以下の詳細な説明および図面は、本発明を限定するものではなく、単に例示するためのものであり、本発明の範囲は本発明の請求の範囲およびそれと同等なものにより規定される。
【発明を実施するための最良の形態】
【００１２】
図５は、ガンマ回路２０とデジタル／アナログ変換器（ＤＡＣ）２１とを有する本発明の表示装置を示している。ガンマ回路２０は、本発明の原理に従って、赤色成分、緑色成分および青色成分についてのガンマルックアップテーブルを有する。図６Ａは、電圧データ信号ＶＤＳ１のデータ電圧レベルにより示される各々のグレイレベル入力のための基準電圧信号ＶＲＥＦの基準電圧レベル（６Ｖ）について反対極性を有する駆動電圧信号ＶＡＳ７の一対の駆動電圧レベルをリストアップする赤色ガンマルックアップテーブルの例を示している。図６Ｂは、電圧データ信号ＶＤＳ２のデータ電圧レベルにより示される各々のグレイレベル入力のための基準電圧信号ＶＲＥＦの基準電圧レベル（６Ｖ）について反対極性を有する駆動電圧信号ＶＡＳ８の一対の駆動電圧レベルをリストアップする緑色ガンマルックアップテーブルの例を示している。図６Ｃは、電圧データ信号ＶＤＳ３のデータ電圧レベルにより示される各々のグレイレベル入力のための基準電圧信号ＶＲＥＦの基準電圧レベル（６Ｖ）について反対極性を有する駆動電圧信号ＶＡＳ９の一対の駆動電圧レベルをリストアップする青色ガンマルックアップテーブルの例を示している。
【００１３】
６Ａ乃至６Ｃのガンマルックアップテーブルは、ＬＣＤ装置１３により発光される発光出力１４のための反転フリッカ補償を反映している。特に、ガンマ回路２０は、電圧駆動信号ＶＤＳ１−ＤＳ２それぞれのデータ電圧レベルに関連する電圧駆動信号ＶＡＳ７−ＡＳ９のための適切な一対の駆動電圧レベルを得る。例えば、図６Ａに示すように、ガンマ回路２０は、電圧データ信号ＶＤＳ１のデータ電圧レベルが１２７のグレイレベルを表すとき、ガンマ回路が約４Ｖおよび８Ｖの駆動電圧レベルを得る。
【００１４】
ＤＡＣ２１は、ガンマルックアップテーブルから得られる適切な一対の駆動電圧レベルに従って、電圧データ信号ＶＤＳ１−ＤＳ３を電圧駆動信号ＶＡＳ７−ＡＳ９に変換し、フレーム反転方式においてＬＣＤ装置１３に電圧駆動信号ＶＡＳ７−ＡＳ９を提供する。例えば、ＤＡＣ２１は、赤色成分に対して１２７のグレイレベルを表すデータ電圧レベルを有する電圧データ信号ＶＤＳ１を、１つの映像フレームに対して約４Ｖの駆動電圧レベル、次の映像フレームに対して約８Ｖの駆動電圧レベル、等、等を有する電圧駆動信号ＶＡＳ７に変換する。このフレーム反転は、電圧データ信号ＶＤＳ１のデータ電圧レベルが赤色成分の異なるグレイレベルを示すために増加または減少されるまで続く。
【００１５】
電圧駆動信号ＶＡＳ７−ＡＳ９を受け取ることに応じて、ＬＣＤ装置１３は、何らかの反転フリッカに陥る発光出力１４を伴うことなく、発光出力１４を出す。１つまたはそれ以上の電圧データ信号ＶＤＳ１−ＤＳ３のデータ電圧レベルが対応する色成分の異なるグレイレベルを示すように増加または減少されるため、反転フリッカ補償は維持される。
【００１６】
ガンマルックアップテーブルと他の色成分についてのガンマルックアップテーブルは、多かれ少なかれ、本発明に従った表示駆動の他の実施形態において利用されることが可能である。
【００１７】
図７Ａに示すような本発明のシステムは、ガンマ回路２０のためのガンマルックアップテーブルを構築するために図７Ｂに示したフロー図４０により表される本発明の方法を実行する。フロー図４０の段階Ｓ４２の間に、各々の色成分のための予備ガンマルックアップテーブルが、コンピュータ３０（例えば、いずれかのタイプのパーソナルコンピュータまたはワークステーション）により設定され、従来の投射装置３１にロードされる。
【００１８】
図８Ａは、電圧データ信号ＶＤＳ１のために２５５のデータ電圧レベルに対応する電圧駆動信号ＶＡＳ７の予め設定された駆動電圧レベルと電圧データ信号ＶＤＳ１のために０のデータ電圧レベルに対応する電圧駆動信号ＶＡＳ７の予め設定された駆動電圧レベルに基づいて、電圧データ信号ＶＤＳ１のデータ電圧レベルと電圧駆動信号ＶＡＳ７の駆動電圧レベルとの間の線形関係を有する例としての予備的赤色ガンマルックアップテーブルを示している。０および２５５の予め設定された駆動電圧レベルは、赤色に対して、黒色の電圧および白色の電圧にそれぞれ対応する。
【００１９】
図８Ｂは、電圧データ信号ＶＤＳ２のために２５５のデータ電圧レベルに対応する電圧駆動信号ＶＡＳ８の予め設定された駆動電圧レベルと電圧データ信号ＶＤＳ２のために０のデータ電圧レベルに対応する電圧駆動信号ＶＡＳ８の予め設定された駆動電圧レベルに基づいて、電圧データ信号ＶＤＳ２のデータ電圧レベルと電圧駆動信号ＶＡＳ８の駆動電圧レベルとの間の線形関係を有する例としての予備的緑色ガンマルックアップテーブルを示している。０および２５５の予め設定された駆動電圧レベルは、緑色に対して、黒色の電圧および白色の電圧にそれぞれ対応する。
【００２０】
図８Ｃは、電圧データ信号ＶＤＳ３のために２５５のデータ電圧レベルに対応する電圧駆動信号ＶＡＳ９の予め設定された駆動電圧レベルと電圧データ信号ＶＤＳ３のために０のデータ電圧レベルに対応する電圧駆動信号ＶＡＳ９の予め設定された駆動電圧レベルに基づいて、電圧データ信号ＶＤＳ３のデータ電圧レベルと電圧駆動信号ＶＡＳ９の駆動電圧レベルとの間の線形関係を有する例としての予備的青色ガンマルックアップテーブルを示している。０および２５５の予め設定された駆動電圧レベルは、青色に対して、黒色の電圧および白色の電圧にそれぞれ対応する。
【００２１】
図７Ａおよび７Ｂを再び参照するに、フロー図４０における段階Ｓ４４の間に、コンピュータ３０は、赤色成分、緑色成分および青色成分それぞれに対してグレイレベルを表すデータ電圧の大きさを有する電圧データ信号ＶＤＳ１−ＤＳ３を生成するために操作される。例えば、段階４４の最初の実行の間に、コンピュータ３０は、赤色成分、緑色成分および青色成分それぞれに対して０のグレイレベルを表すデータ電圧の大きさを有する電圧データ信号ＶＤＳ１−ＤＳ３を生成するために操作されることができる。
【００２２】
フロー図４０における段階Ｓ４８の間に、従来の輝度測定装置３２は、フレーム毎の平均輝度発光出力３３を評価するために操作される。一実施形態において、発光測定装置３２は、１つのフレーム内の発光出力３３の複数の測定を実行するために測光用フィルタを有するフォトダイオードと、アナログ方式からデジタル方式に各々の測定を変換するためのデータ収集カードとを有する。発光測定装置３２は、フレーム内で測定される平均輝度の平滑で信頼性高い評価を得るためにフレームに亘る測定を平均化し、評価としての平均輝度を示す測定電圧レベルを有する電圧測定信号ＶＭＳを提供する。例えば、図９は、水平のラインにより表される平均輝度を有する発光出力３３の時間ベースの大きさ測定を示している。
【００２３】
フロー図４０における段階Ｓ５０の間に、コンピュータ３０は、電圧測定信号ＶＭＳに関連して適切なガンマルックアップテーブルに修正するために操作される。この修正は、データ電圧レベルにより表されるグレイレベルに対応する一対の駆動電圧レベルを反映する。一対の駆動電圧レベルは、図３に示すようなデータ電圧信号により示されるグレイレベルに対して好ましく、図９に示すような輝度波形のピーク群を平均化する適切な平均輝度を促進するガンマルックアップテーブルの進展である利点を用いて、６Ｖの基準電圧レベルについて反対極性を有する。
【００２４】
段階Ｓ４４乃至Ｓ５０は、必要に応じて、任意の順序で繰り返され、これにより、図８Ａの予備的赤色ガンマルックアップテーブルは図６Ａの赤色ガンマルックアップテーブルに変換され、図８Ｂの予備的緑色ガンマルックアップテーブルは図６Ｂの緑色ガンマルックアップテーブルに変換され、そして、図８Ｃの予備的青色ガンマルックアップテーブルは図６Ｃの青色ガンマルックアップテーブルに変換される。次いで、図６Ａ乃至６Ｃのガンマルックアップテーブルはガンマ回路１０内に設定され、これにより、表示駆動装置driverは、ＬＣＤ装置１３（図１５）により発光されるように発光出力１４（図５）への反転フリッカ補償を実行することができる。
【００２５】
ここで開示した本発明の実施形態は好適であることを考慮して示している一方、本発明の主旨および範囲から逸脱することなく、種々の変形および修正がなされ得る。本発明の範囲については同時提出の請求の範囲に示しており、同等な効果および範囲内でなされる全ての変化はこの範囲内で実施されるべきものであるとして意図している。
【図面の簡単な説明】
【００２６】
【図１】液晶表示（ＬＣＤ）装置を駆動するために用いられる従来の表示駆動装置のブロック図である。
【図２】対応する電圧駆動信号のレベルの関数として、赤色成分、緑色成分および青色成分について、図１の液晶表示装置の発光応答曲線の例を示すグラフである。
【図３】電圧データ信号についての図１のＬＣＤ装置からの発光出力の好ましい発光応答曲線の例を示すグラフである。
【図４】電圧データ信号により表されるグレイレベルについての図１のＬＣＤ装置の発光出力の時間ベースの輝度振幅測定の例を示すグラフである。
【図５】図１のＬＣＤ装置を駆動するために用いられる本発明に従った表示駆動装置のブロック図である。
【図６Ａ】図１のＬＣＤ装置に電圧駆動信号の駆動電圧レベルに映像ソースから電圧データ信号のデータ電圧レベルについての本発明に従った赤色ガンマルックアップテーブルの例である。
【図６Ｂ】図１のＬＣＤ装置に電圧駆動信号の駆動電圧レベルに映像ソースから電圧データ信号のデータ電圧レベルについての本発明に従った緑色ガンマルックアップテーブルの例である。
【図６Ｃ】図１のＬＣＤ装置に電圧駆動信号の駆動電圧レベルに映像ソースから電圧データ信号のデータ電圧レベルについての本発明に従った青色ガンマルックアップテーブルの例である。
【図７Ａ】図６Ａ乃至６Ｃのガンマルックアップテーブルを生成するための本発明に従ったシステムを示す図である。
【図７Ｂ】図６Ａ乃至６Ｃのガンマルックアップテーブルを生成するための本発明に従った方法のフロー図である。
【図８Ａ】電圧駆動信号の対応する駆動電圧レベルに電圧データ信号の黒色電圧レベルと白色電圧レベルとについての本発明に従った赤色ガンマルックアップテーブルの例である。
【図８Ｂ】電圧駆動信号の対応する駆動電圧レベルに電圧データ信号の黒色電圧レベルと白色電圧レベルとについての本発明に従った緑色ガンマルックアップテーブルの例である。
【図８Ｃ】電圧駆動信号の対応する駆動電圧レベルに電圧データ信号の黒色電圧レベルと白色電圧レベルとについての本発明に従った青色ガンマルックアップテーブルの例である。
【図９】電圧データ信号により表されるグレイレベル入力に関する図７の投影装置の発光出力の時間ベースの輝度振幅測定の例を示す図である。
【図１】
2005502091.tif 000003
【図２】
2005502091.tif 000004
【図３】
2005502091.tif 000005
【図４】
2005502091.tif 000006
【図５】
2005502091.tif 000007
【図６Ａ】
2005502091.tif 000008
【図６Ｂ】
2005502091.tif 000009
【図６Ｃ】
2005502091.tif 000010
【図７Ａ】
2005502091.tif 000011
【図７Ｂ】
2005502091.tif 000012
【図８Ａ】
2005502091.tif 000013
【図８Ｂ】
2005502091.tif 000014
【図８Ｃ】
2005502091.tif 000015
【図９】
2005502091.tif 000016
【国際公開パンフレット】
2005502091.tif 000017
2005502091.tif 000018
2005502091.tif 000019
2005502091.tif 000020
2005502091.tif 000021
2005502091.tif 000022
2005502091.tif 000023
2005502091.tif 000024
2005502091.tif 000025
2005502091.tif 000026
2005502091.tif 000027
2005502091.tif 000028
2005502091.tif 000029
2005502091.tif 000030
2005502091.tif 000031
2005502091.tif 000032
2005502091.tif 000033
2005502091.tif 000034
2005502091.tif 000035
2005502091.tif 000036
2005502091.tif 000037
2005502091.tif 000038
2005502091.tif 000039
2005502091.tif 000040
2005502091.tif 000041
【国際公開パンフレット（コレクトバージョン）】
2005502091.tif 000042
【国際調査報告】
2005502091.tif 000043
2005502091.tif 000044
2005502091.tif 000045